(57)【特許請求の範囲】
【請求項１】
鉄筋コンクリート構造の複数の一階用パネルを、製造現場で順次製造する、製造工程と、
前記製造工程で製造した前記複数の一階用パネルを、所定の初期強度を発現した段階で、前記製造現場から建築現場にまで順次搬送する、搬送工程と、
前記建築現場に搬送された前記複数の一階用パネルを、前記建築現場の基礎上に順次設置し、前記基礎上に住宅の一階部分を形成する、設置工程と、
前記設置工程で設置した前記複数の一階用パネルを、それぞれが前記所定の初期強度よりも高い所定の目的強度を発現するまで、前記基礎上で養生させる、養生工程と、を備えた、
住宅の建築構法。
【請求項２】
前記複数の一階用パネルの各々は、前記一階部分の壁構造を形成するための一階壁用パネルである、
請求項１に記載された住宅の建築構法。
【請求項３】
鉄筋コンクリート構造の複数の二階用パネルを、製造現場で順次製造する、二階用の製造工程と、
前記二階用の製造工程で製造した前記複数の二階用パネルを、所定の初期強度を発現した段階で、前記製造現場から前記建築現場にまで順次搬送する、二階用の搬送工程と、
前記建築現場に搬送された前記複数の二階用パネルを、前記所定の目的強度を発現した前記複数の一階用パネルの上に順次設置し、前記一階部分の上に、前記住宅の二階部分を形成する、二階用の設置工程と、
前記二階用の設置工程で設置した前記複数の二階用パネルを、それぞれが前記所定の初期強度よりも高い所定の目的強度を発現するまで、前記一階部分の上で養生させる、二階用の養生工程と、をさらに備えた、
請求項１または２に記載の住宅の建築構法。
【請求項４】
前記二階用の設置工程は、前記一階部分を構成する前記複数の一階用パネルのうち、前記所定の目的強度を発現した一階用パネルの上から順に、前記複数の二階用パネルを順次設置していく工程である、
請求項３に記載の住宅の建築構法。
【請求項５】
前記養生工程の期間の一部と、前記二階用の設置工程の期間の一部が、互いに重なるように設けた、
請求項４に記載の住宅の建築構法。
【請求項６】
鉄筋コンクリート構造の複数の二階床用パネルを、製造現場で順次製造する、二階床用の製造工程と、
前記二階床用の製造工程で製造した前記複数の二階床用パネルを、所定の初期強度を発現した段階で、前記製造現場から前記建築現場にまで順次搬送する、二階床用の搬送工程と、
前記建築現場に搬送された前記複数の二階床用パネルを、前記所定の目的強度を発現した前記複数の一階用パネルの上に順次設置し、前記一階部分の上に、前記住宅の二階部分の床構造を形成する、二階床用の設置工程と、
前記二階床用の設置工程で設置した前記複数の二階床用パネルを、それぞれが前記所定の初期強度よりも高い所定の目的強度を発現するまで、前記一階部分の上で養生させる、二階床用の養生工程と、をさらに備えた、
請求項１または２に記載の住宅の建築構法。
【請求項７】
前記二階床用の設置工程は、前記一階部分を構成する前記複数の一階用パネルのうち、前記所定の目的強度を発現した一階用パネルの上から順に、前記複数の二階床用パネルを順次設置していく工程である、
請求項６に記載の住宅の建築構法。
【請求項８】
前記養生工程の期間の一部と、前記二階床用の設置工程の期間の一部が、互いに重なるように設けた、
請求項７に記載の住宅の建築構法。
【請求項９】
鉄筋コンクリート構造の複数の二階壁用パネルを、製造現場で順次製造する二階壁用の製造工程と、
前記二階壁用の製造工程で製造した前記複数の二階壁用パネルを、所定の初期強度を発現した段階で、前記製造現場から前記建築現場にまで順次搬送する二階壁用の搬送工程と、
前記建築現場に搬送された前記複数の二階壁用パネルを、前記所定の目的強度を発現した前記複数の二階床用パネルの上に順次設置し、前記床構造の上に、前記二階部分の壁構造を形成する二階壁用の設置工程と、
前記二階壁用の設置工程で設置した前記複数の二階壁用パネルを、それぞれが前記所定の初期強度よりも高い所定の目的強度を発現するまで、前記床構造の上で養生させる二階壁用の養生工程と、をさらに備えた、
請求項６〜８のいずれか一項に記載の住宅の建築構法。
【請求項１０】
前記二階壁用の設置工程は、前記床構造を構成する前記複数の二階床用パネルのうち、前記所定の目的強度を発現した前記二階床用パネルの上から順に、前記複数の二階壁用パネルを順次設置していく工程である、
請求項９に記載の住宅の建築構法。
【請求項１１】
前記二階床用の養生工程の期間の一部と、前記二階壁用の設置工程の期間の一部が、互いに重なるように設けた、
請求項１０に記載の住宅の建築構法。
【請求項１２】
前記住宅は、連棟式住宅である、
請求項１〜１１のいずれか一項に記載の住宅の建築構法。
【発明の詳細な説明】
【技術分野】
【０００１】
本発明は、住宅の建築構法に関し、詳しくは、鉄筋コンクリート構造のパネルを用いて住宅を建築する、住宅の建築構法に関する。
【背景技術】
【０００２】
鉄筋コンクリート構造のパネルを用いて住宅を建築することが、従来提案されている。
【０００３】
例えば、特許文献１には、多数の鉄筋コンクリートパネルをあらかじめ製造しておき、これらの多数の鉄筋コンクリートパネルを耐力壁や床版として利用することで、住宅を建築する方法が開示されている。
【先行技術文献】
【特許文献】
【０００４】
【特許文献１】特開２０００−２４８６１４号公報
【発明の概要】
【発明が解決しようとする課題】
【０００５】
上記した従来の建築方法では、多数の鉄筋コンクリートパネルを、それぞれが目的の強度（住宅の壁や床として要求される強度）を発現するまで、製造現場の専用施設で養生させる。専用施設内での養生を完了した多数の鉄筋コンクリートパネルは、いったん保管施設等に保管した後に、建築現場にまで搬送し、建築現場で組み立てることが一般的である。
【０００６】
しかし、上記した従来の建築方法においては、多数の鉄筋コンクリートパネルの製造を始めた時点から、これらの鉄筋コンクリートパネルを用いて建築現場で住宅を完成させるまでの期間が長いという問題を有していた。
【０００７】
本発明が解決しようとする課題は、複数の鉄筋コンクリートパネルで構成された住宅を、短期間で建築することのできる、住宅の建築構法を提供することにある。
【課題を解決するための手段】
【０００８】
前記課題を解決するために、本発明の一態様に係る住宅の建築構法は、製造工程と、搬送工程と、設置工程と、養生工程とを備える。
【０００９】
前記製造工程は、鉄筋コンクリート構造の複数の一階用パネルを、製造現場で順次製造する工程である。
【００１０】
前記搬送工程は、前記製造工程で製造した前記複数の一階用パネルを、所定の初期強度を発現した段階で、前記製造現場から建築現場にまで順次搬送する工程である。
【００１１】
前記設置工程は、前記建築現場に搬送された前記複数の一階用パネルを、前記建築現場の基礎上に順次設置し、前記基礎上に住宅の一階部分を形成する工程である。
【００１２】
前記養生工程は、前記設置工程で設置した前記複数の一階用パネルを、それぞれが前記所定の初期強度よりも高い所定の目的強度を発現するまで、前記基礎上で養生させる工程である。
【発明の効果】
【００１３】
本発明は、複数の鉄筋コンクリートパネルで構成された住宅を、短期間で建築することができるという効果を奏する。
【図面の簡単な説明】
【００１４】
【図１】実施形態１の建築構法の流れを示す図である。
【図２】実施形態１の建築構法の各工程のタイミングを説明する図である。
【図３】実施形態１の建築構法での製造現場と建築現場の関係を示す図である。
【図４】実施形態１の建築構法で建物の一階部分を建築し始めた段階を概略的に示す図である。
【図５】実施形態１の建築構法で建物の一階部分を形成した段階を概略的に示す図である。
【図６】実施形態１の建築構法で建物の二階部分の床構造を形成した段階を概略的に示す図である。
【図７】実施形態１の建築構法で建物の二階部分の壁構造を形成した段階を概略的に示す図である。
【図８】実施形態１の建築構法で建物の屋根構造を形成した段階を概略的に示す図である。
【発明を実施するための形態】
【００１５】
本発明の実施形態１の建築構法は、鉄筋コンクリート構造のパネルを、所定の目的強度が発現するまでパネルの製造現場で養生するのではなく、建築現場に搬送して設置した状態で、前記所定の目的強度が発現するまで養生させることで、短期間での住宅建築を実現する構法である。
【００１６】
本実施形態の建築構法は、高温多湿の環境下において、特に有効な建築構法である。
【００１７】
また、本実施形態の建築構法は、連棟式の住宅を建築する際に、特に有効な建築構法である。
【００１８】
以下、本実施形態の建築構法について、添付図面に基づいて詳しく説明する。
【００１９】
本実施形態の建築構法では、連棟式の住宅６の一階部分６１を建築するために用いる複数の一階用パネル１，１…（図５等参照）と、連棟式の住宅６の二階部分６２を建築するために用いる複数の二階用パネル２，２…（図７等参照）とを、専用設備を備えた製造現場８（図３参照）で製造する。
【００２０】
製造現場８で製造した一階用パネル１，１…や二階用パネル２，２…は、搬送することが可能な初期強度を発現した段階で、車両等の適宜の搬送手段７を用いて、建築現場９にまで搬送する。
【００２１】
製造現場８と建築現場９は、隣接して設けることも可能である。この場合には、搬送手段７としてクレーン等を用い、一階用パネル１，１…や二階用パネル２，２…を、建築現場９にまで速やかに搬送することができる。
【００２２】
図１には、実施形態１の建築構法で住宅６を建築する各工程の流れを、概略的に示している。
【００２３】
基礎工事の工程Ｓ０は、建築現場９に基礎５を形成する工程である。本実施形態の建築構法で建築する住宅６は、１０棟が連なる連棟式住宅であり、基礎５を形成するために数週間程度を要する。
【００２４】
基礎工事の工程Ｓ０を完了した時点から、あるいは基礎工事の工程Ｓ０の後半部と平行して、基礎５上に住宅６の一階部分６１を建築する一階建築工程Ｓ１を開始する。
【００２５】
一階建築工程Ｓ１は、一階用の製造工程Ｓ１１、一階用の搬送工程Ｓ１２、一階用の設置工程Ｓ１３及び一階用の養生工程Ｓ１４を含む。以下、一階用の製造工程Ｓ１１を単に「製造工程Ｓ１１」、一階用の搬送工程Ｓ１２を単に「搬送工程Ｓ１２」、一階用の設置工程Ｓ１３を単に「設置工程Ｓ１３」、一階用の養生工程Ｓ１４を単に「養生工程Ｓ１４」と称する。
【００２６】
製造工程Ｓ１１は、複数の一階用パネル１，１…を、製造現場８で順次製造する工程である。本実施形態において、複数の一階用パネル１，１…は、計８２枚の一階壁用パネル１１，１１…である。
【００２７】
製造現場８では、鉄筋を組み立てて型枠に投入し、該型枠内にコンクリートを打設することで、鉄筋コンクリート構造の一階壁用パネル１１，１１…を、該型枠内で成形する。一階壁用パネル１１，１１…は、成形後に該型枠から脱型させる。
【００２８】
製造現場８では、一日当たり例えば１２枚の一階壁用パネル１１，１１…を製造するので、製造工程Ｓ１１の期間は７日程度である。
【００２９】
搬送工程Ｓ１２は、脱型後の一階壁用パネル１１，１１…が、車両やクレーン車で建築現場９にまで搬送可能な初期強度を発現した時点で、順次、建築現場９に搬送していく工程である。搬送工程Ｓ１２は、製造工程Ｓ１１と平行して行うことができる。
【００３０】
設置工程Ｓ１３は、建築現場９にまで搬送された複数の一階壁用パネル１１，１１…を、工事が完了した基礎５上に、順次設置していく工程である（図４参照）。１０棟分に区画された基礎５上に、第一の側から順に一階壁用パネル１１，１１…を設置していき、７日程度で、基礎５上の第二の側に至るまで、一階壁用パネル１１，１１…を設置する。これにより、住宅６の一階部分６１の壁構造６１１を形成する（図５参照）。
【００３１】
製造工程Ｓ１１において一日毎に製造された一階壁用パネル１１，１１…は、初期強度が発現した時点で、速やかに建築現場９に搬送され、基礎５上に順に設置される。そのため、製造工程Ｓ１１の期間の一部（後半部）と、設置工程Ｓ１３の期間の一部（前半部）は、互いに重なる（図２参照）。設置工程Ｓ１３の期間は、製造工程Ｓ１１と同じく７日程度である。
【００３２】
養生工程Ｓ１４は、設置工程Ｓ１３で設置した複数の一階壁用パネル１１，１１…を、それぞれが所定の目的強度を発現するまで、基礎５上の屋外環境で養生させる工程である。ここでの目的強度は、各一階壁用パネル１１の前記初期強度よりも高い強度であり、さらに詳しくは、各一階壁用パネル１１上に二階部分６２を建築することのできる強度である。
【００３３】
高温多湿の適切な環境下であれば、各一階壁用パネル１１は、基礎５上に設置された状態で、３日程度で前記所定の目的強度を発現し得る。
【００３４】
図２に示すように、設置工程Ｓ１３の期間の一部（後半部）と、養生工程Ｓ１４の一部（前半部）は、互いに重なる。
【００３５】
以上の一階建築工程Ｓ１によって、図５に示すように、住宅６の一階部分６１を建築することができる。
【００３６】
住宅６の二階部分６２は、二階建築工程Ｓ２によって建築する。二階建築工程Ｓ２は、一階建築工程Ｓ１の完了を待つのではなく、一階建築工程Ｓ１の途中の時点から、一階建築工程Ｓ１と平行して開始することができる。
【００３７】
二階建築工程Ｓ２は、二階用の製造工程Ｓ２１、二階用の搬送工程Ｓ２２、二階用の設置工程Ｓ２３及び二階用の養生工程Ｓ２４を含む（図１参照）。
【００３８】
本実施形態では、二階部分６２を建築するための複数の二階用パネル２，２…として、複数の二階床用パネル２１，２１…と、複数の二階壁用パネル２２，２２…とを用いる。そして、二階建築工程Ｓ２の前半で、複数の二階床用パネル２１，２１…を用いて二階部分６２の床構造６２１を建築し、二階建築工程Ｓ２の後半で、複数の二階壁用パネル２２，２２…を用いて二階部分６２の壁構造６２２を建築する。
【００３９】
そのため、本実施形態の建築構法において、二階用の製造工程Ｓ２１は、前半に行う二階床用の製造工程Ｓ２１１と、後半に行う二階壁用の製造工程Ｓ２１２を含む。
【００４０】
同様に、二階用の搬送工程Ｓ２２は、前半に行う二階床用の搬送工程Ｓ２２１と、後半に行う二階壁用の搬送工程Ｓ２２２を含む。二階用の設置工程Ｓ２３は、前半に行う二階床用の設置工程Ｓ２３１と、後半に行う二階壁用の設置工程Ｓ２３２を含む。二階用の養生工程Ｓ２４は、前半に行う二階床用の養生工程Ｓ２４１と、後半に行う二階壁用の製造工程Ｓ２４２を含む。
【００４１】
具体的には、これら各工程は、以下のとおりである。
【００４２】
二階床用の製造工程Ｓ２１１は、複数の二階床用パネル２１，２１…を、製造現場８で順次製造する工程である。二階床用の製造工程Ｓ２１１は、一階用の製造工程Ｓ１１が完了してから、引き続き同一の製造現場８で行うことができる。
【００４３】
本実施形態の二階床用の製造工程Ｓ２１１においては、複数の二階床用パネル２１，２１…を、製造工程Ｓ１１と同様の手順で、計５０枚製造する。二階床用の製造工程Ｓ２１１の期間は、例えば５日程度である。
【００４４】
二階床用の搬送工程Ｓ２２１は、二階床用パネル２１，２１…が、車両やクレーン車で建築現場９にまで搬送可能な初期強度を発現した時点で、順次、建築現場９に搬送していく工程である。二階床用の搬送工程Ｓ２２１は、二階床用の製造工程Ｓ２１１と平行して行うことができる。
【００４５】
二階床用の設置工程Ｓ２３１は、建築現場９にまで搬送された複数の二階床用パネル２１，２１…を、住宅６の一階部分６１（図５参照）の上に、順次設置していく工程である。二階床用パネル２１，２１…は、一階壁用パネル１１，１１…を設置し始めた前記第一の側から、順に設置していく。本実施形態では、例えば５日程度で、一階部分６１上の前記第二の側にまで二階床用パネル２１，２１…を設置し終わる。これにより、住宅６の二階部分６２の床構造６２１を形成する（図６参照）。
【００４６】
本実施形態の建築構法では、図２に示すように、二階床用の設置工程Ｓ２３１の期間の一部（前半部）を、養生工程Ｓ１４の期間の一部（後半部）と重なる時期に設けることができる。つまり、養生工程Ｓ１４が全て完了していない時点でも、設置工程Ｓ１３の初期に設置した一階壁用パネル１１，１１…は既に前記所定の目的強度を発現しているので、前記第一の側から二階床用パネル２１，２１…を設置することが可能である。この分だけ、全体の建築期間がさらに短縮される。なお、図２中の矢印ｔは時間の経過方向を示す。
【００４７】
二階床用の製造工程Ｓ２１１において一日毎に製造された二階床用パネル２１，２１…は、前記初期強度が発現した時点で、速やかに建築現場９に搬送され、一階部分６１の上に順に設置される。そのため、二階床用の製造工程Ｓ２１１の期間の一部（後半部）と、二階床用の設置工程Ｓ２３１の期間の一部（前半部）は、互いに重なる（図２参照）。二階床用の設置工程Ｓ２３１の期間は、二階床用の製造工程Ｓ２１１と同じく５日程度である。二階床用の設置工程Ｓ２３１は、設置工程Ｓ１３が完了した直後から開始することができる。
【００４８】
二階床用の養生工程Ｓ２４１は、二階床用の設置工程Ｓ２３１で設置した複数の二階床用パネル２１，２１…を、それぞれが所定の目的強度を発現するまで、一階部分６１の上の屋外環境で養生させる工程である。ここでの目的強度は、各二階床用パネル２１の前記初期強度よりも高い強度であり、さらに詳しくは、各二階床用パネル２１上に二階部分６２の壁構造６２２を建築することのできる強度である。
【００４９】
高温多湿の適切な環境下であれば、各二階床用パネル２１は、一階部分６１の上に設置された状態で、３日程度で前記所定の目的強度を発現し得る。
【００５０】
図２に示すように、二階床用の設置工程Ｓ２３１の期間の一部（後半部）と、二階床用の養生工程Ｓ２４１の一部（前半部）は、互いに重なる。
【００５１】
二階壁用の製造工程Ｓ２１２は、複数の二階壁用パネル２２，２２…を、製造現場８で順次製造する工程である。二階壁用の製造工程Ｓ２１２は、二階床用の製造工程Ｓ２１１が完了してから、引き続き同一の製造現場８で行うことができる。
【００５２】
本実施形態の二階壁用の製造工程Ｓ２２１においては、複数の二階壁用パネル２２，２２…を、製造工程Ｓ１１等と同様の手順で、計７２枚製造する。二階壁用の製造工程Ｓ２１２の期間は、例えば６日程度である。
【００５３】
二階壁用の搬送工程Ｓ２２２は、二階壁用パネル２２，２２…が、車両やクレーン車で建築現場９にまで搬送可能な初期強度を発現した時点で、順次、建築現場９に搬送していく工程である。二階壁用の搬送工程Ｓ２２２は、二階壁用の製造工程Ｓ２１２と平行して行うことができる。
【００５４】
二階壁用の設置工程Ｓ２３２は、建築現場９にまで搬送された複数の二階壁用パネル２２，２２…を、住宅６の二階部分６２の床構造６２１（図６参照）の上に、順次設置していく工程である。二階壁用パネル２２，２２…は、二階床用パネル２１，２１…を設置し始めた前記第一の側から、順に設置していく。本実施形態では、例えば６日程度で、二階部分６２の床構造６２１の前記第二の側にまで、二階壁用パネル２２，２２…を設置し終わる。これにより、住宅６の二階部分６２の壁構造６２２（ひいては二階部分６２の全体）を形成する（図７参照）。
【００５５】
本実施形態の建築構法では、図２に示すように、二階壁用の設置工程Ｓ２３２の期間の一部（前半部）を、二階床用の養生工程Ｓ２４１の期間の一部（後半部）と重なる時期に設けることができる。つまり、二階床用の養生工程Ｓ２４１が全て完了していない時点でも、二階床用の設置工程Ｓ２３１の初期に設置した二階床用パネル２１，２１…は既に前記所定の目的強度を発現しているので、前記第一の側から二階壁用パネル２２，２２…を設置することが可能である。この分だけ、全体の建築期間がさらに短縮される。
【００５６】
二階壁用の製造工程Ｓ２１２において一日毎に製造された二階壁用パネル２２，２２…は、前記初期強度が発現した時点で、速やかに建築現場９に搬送され、二階部分６２の床構造６２１の上に順に設置される。そのため、二階壁用の製造工程Ｓ２１２の期間の一部（後半部）と、二階壁用の設置工程Ｓ２３２の期間の一部（前半部）は、互いに重なる（図２参照）。二階壁用の設置工程Ｓ２３２の期間は、二階壁用の製造工程Ｓ２１２と同じく６日程度である。二階壁用の設置工程Ｓ２３２は、二階床用の設置工程Ｓ２３１が完了した直後から開始することができる。
【００５７】
二階壁用の養生工程Ｓ２４２は、二階壁用の設置工程Ｓ２３２で設置した複数の二階壁用パネル２２，２２…を、それぞれが所定の目的強度を発現するまで、二階部分６２の床構造６２１の上の屋外環境で養生させる工程である。ここでの目的強度は、各二階壁用パネル２２の前記初期強度よりも高い強度であり、さらに詳しくは、各二階壁用パネル２２上に屋根構造６３を建築することのできる強度である。
【００５８】
高温多湿の適切な環境下であれば、各二階壁用パネル２２は、二階部分６２の床構造の上に設置された状態で、３日程度で前記所定の目的強度を発現し得る。
【００５９】
図２に示すように、二階壁用の設置工程Ｓ２３２の期間の一部（後半部）と、二階壁用の養生工程Ｓ２４２の一部（前半部）は、互いに重なる。
【００６０】
以上の二階建築工程Ｓ２によって、図７に示すような住宅６の二階部分６２を、短期間で建築することができる。
【００６１】
住宅６の屋根構造６３は、屋根建築工程Ｓ３によって建築する。屋根建築工程Ｓ３は、二階建築工程Ｓ２の途中の時点から、二階建築工程Ｓ２と平行して開始することができる。
【００６２】
屋根建築工程Ｓ３は、屋根用の製造工程Ｓ３１、屋根用の搬送工程Ｓ３２、屋根用の設置工程Ｓ３３及び屋根用の養生工程Ｓ３４を含む（図１参照）。
【００６３】
屋根用の製造工程Ｓ３１は、複数の屋根用パネル３，３…を、製造現場８で順次製造する工程である。屋根用の製造工程Ｓ３１は、二階壁用の製造工程Ｓ２１２が完了してから、引き続き同一の製造現場８で行うことができる。
【００６４】
本実施形態の屋根用の製造工程Ｓ３１においては、複数の屋根用パネル３，３…を、製造工程Ｓ１１等と同様の手順で、計４０枚製造する。屋根用の製造工程Ｓ３１の期間は、例えば４日程度である。
【００６５】
屋根用の搬送工程Ｓ３２は、屋根用パネル３，３…が、車両やクレーン車で建築現場９にまで搬送可能な初期強度を発現した時点で、順次、建築現場９に搬送していく工程である。屋根用の搬送工程Ｓ３２は、屋根用の製造工程Ｓ３１と平行して行うことができる。
【００６６】
屋根用の設置工程Ｓ３３は、建築現場９にまで搬送された複数の屋根用パネル３，３…を、住宅６の二階部分６２の壁構造６２２（図７参照）の上に、順次設置していく工程である。屋根用パネル３，３…は、二階壁用パネル２２，２２…を設置し始めた前記第一の側から、順に設置していく。本実施形態の屋根用の設置工程Ｓ３３では、例えば４日程度で、二階部分６２の壁構造６２２の前記第二の側に至るまで、屋根用パネル３，３…を設置することができる。これにより、住宅６の屋根構造６３（ひいては住宅６の躯体全体）を形成する（図８参照）。
【００６７】
本実施形態の建築構法では、図２に示すように、屋根用の設置工程Ｓ３３の期間の一部（前半部）を、二階壁用の養生工程Ｓ２４２の期間の一部（後半部）と重なる時期に設けることができる。つまり、二階壁用の養生工程Ｓ２４２が全て完了していない時点でも、二階壁用の設置工程Ｓ２３２の初期に設置した二階壁用パネル２２，２２…は既に前記所定の目的強度を発現しているので、前記第一の側から屋根用パネル３，３…を設置することが可能である。この分だけ、全体の建築期間がさらに短縮される。
【００６８】
屋根用の製造工程Ｓ３１において一日毎に製造された屋根用パネル３，３…は、前記初期強度が発現した時点で、速やかに建築現場９に搬送され、二階部分６２の壁構造６２２の上に順に設置される。そのため、屋根用の製造工程Ｓ３１の期間の一部（後半部）と、屋根用の設置工程Ｓ３３の期間の一部（前半部）は、互いに重なる（図２参照）。屋根用の設置工程Ｓ３３の期間は、屋根用の製造工程Ｓ３１と同じく４日程度である。屋根用の設置工程Ｓ３３は、二階壁用の設置工程Ｓ２３２が完了した直後から開始することができる。
【００６９】
即ち、本実施形態の建築工法では、製造現場８において製造工程Ｓ１１、二階用の製造工程Ｓ２１（二階床用の製造工程Ｓ２１１、二階壁用の製造工程Ｓ２１２）及び屋根用の製造工程Ｓ３１を連続して実施可能であることに加えて、建築現場９においては設置工程Ｓ１３、二階用の設置工程Ｓ２３（二階床用の設置工程Ｓ２３１、二階壁用の設置工程Ｓ２３２）及び屋根用の設置工程Ｓ３３を、連続して実施することができる。
【００７０】
屋根用の養生工程Ｓ３４は、屋根用の設置工程Ｓ３３で設置した複数の屋根用パネル３，３…を、それぞれが所定の目的強度を発現するまで、二階部分６２の壁構造６２２の上の屋外環境で養生させる工程である。ここでの目的強度は、各屋根用パネル３の前記初期強度よりも高い強度であり、さらに詳しくは、各二階壁用パネル２２上に、さらに太陽光発電パネル等の各種設備を設置することのできる強度である。
【００７１】
高温多湿の適切な環境下であれば、各屋根用パネル３は、二階部分６２の壁構造６２２の上に設置された状態で、３日程度で前記所定の目的強度を発現し得る。
【００７２】
図２に示すように、屋根用の設置工程Ｓ３３の期間の一部（後半部）と、屋根用の養生工程Ｓ３４の一部（前半部）は、互いに重なる。
【００７３】
図１に示す仕上げ工程Ｓ４は、住宅６の各所の仕上げを行う工程であり、住宅６の躯体（例えば住宅６の二階部分６２）を建築している途中の時点から、平行して開始可能である。
【００７４】
本実施形態の建築構法で住宅６を建築することで、基礎工事を始めてから３ヶ月程度の非常に短い期間で、１０棟程度が連続する連棟式の住宅６を、仕上げに至るまで完成させることが可能となる。
【００７５】
特に、連棟式の住宅６の躯体を基礎５上に建築する作業については、一ヵ月程度の非常に短い期間で完了することが可能である。連棟式でない住宅に対しても、本実施形態の建築構法を適用することで、該住宅を短納期、低コストで提供することができる。
【００７６】
本実施形態の建築構法は、一階用パネル１，１…や二階用パネル２，２…の養生を、建築現場９に設置した状態で行う構法であるから、亜熱帯の環境下であることや、熱帯の環境下であることや、熱帯雨林気候の環境下であることが好ましい。
【００７７】
以上、添付図面に基づいて説明したように、本実施形態の建築構法は、第１の特徴として、製造工程Ｓ１１と、搬送工程Ｓ１２と、設置工程Ｓ１３と、養生工程Ｓ１４とを備える。製造工程Ｓ１１では、鉄筋コンクリート構造の複数の一階用パネル１，１…を、製造現場８で順次製造する。搬送工程Ｓ１２では、製造工程Ｓ１１で製造した複数の一階用パネル１，１…を、所定の初期強度を発現した段階で、製造現場８から建築現場９にまで順次搬送する。設置工程Ｓ１３では、建築現場９に搬送された複数の一階用パネル１，１…を、建築現場９の基礎５上に順次設置し、基礎５上に住宅６の一階部分６１を形成する。養生工程Ｓ１４では、設置工程Ｓ１３で設置した複数の一階用パネル１，１…を、それぞれが前記所定の初期強度よりも高い所定の目的強度を発現するまで、基礎５上で養生させる。
【００７８】
そのため、本実施形態の建築構法では、鉄筋コンクリート構造の複数の一階用パネル１，１…の製造を開始してから一階部分６１の建築を完了するまでの時間を、短縮することができる。これにより、住宅６を短期間で建築することが可能となる。
【００７９】
本実施形態の建築構法では、第２の特徴として、複数の一階用パネル１，１…の各々が、一階部分６１の壁構造６１１を形成するための一階壁用パネル１１である。
【００８０】
そのため、本実施形態の建築構法では、鉄筋コンクリート構造の複数の一階壁用パネル１１，１１…の製造を開始してから一階部分６１の壁構造６１１の建築を完了するまでの時間を、短縮することができる。これにより、住宅６を短期間で建築することが可能となる。
【００８１】
本実施形態の建築構法は、第３の特徴として、二階用の製造工程Ｓ２１と、二階用の設置工程Ｓ２３と、二階用の養生工程Ｓ２４とを、さらに備える。二階用の製造工程Ｓ２１では、鉄筋コンクリート構造の複数の二階用パネル２，２…を、製造現場８で順次製造する。二階用の搬送工程Ｓ２２では、二階用の製造工程Ｓ２１で製造した複数の二階用パネル２，２…を、所定の初期強度を発現した段階で、製造現場８から建築現場９にまで順次搬送する。二階用の設置工程Ｓ２３では、建築現場９に搬送された複数の二階用パネル２，２…を、前記所定の目的強度を発現した複数の一階用パネル１，１…の上に順次設置し、一階部分６１の上に、住宅６の二階部分６２を形成する。二階用の養生工程Ｓ２４では、二階用の設置工程Ｓ２３で設置した複数の二階用パネル２，２…を、それぞれが前記所定の初期強度よりも高い所定の目的強度を発現するまで、一階部分６１の上で養生させる。
【００８２】
そのため、本実施形態の建築構法では、鉄筋コンクリート構造の複数の二階用パネル２，２…の製造を開始してから二階部分６２の建築を完了するまでの時間を、短縮することができる。これにより、住宅６をさらに短期間で建築することが可能となる。
【００８３】
本実施形態の建築構法では、第４の特徴として、二階用の設置工程Ｓ２１は、一階部分６１を構成する複数の一階用パネル１，１…のうち、前記所定の目的強度を発現した一階用パネル１，１…の上から順に、複数の二階用パネル２，２…を順次設置していく工程である。
【００８４】
そのため、本実施形態の建築構法では、複数の一階用パネル１，１…の全てが前記所定の目的強度を発現するまで待つ必要なく、二階部分６２の建築を始めることができる。
【００８５】
本実施形態の建築構法では、第５の特徴として、養生工程Ｓ１４の期間の一部と、二階用の設置工程Ｓ２３の期間の一部が、互いに重なるように設けている。
【００８６】
そのため、本実施形態の建築構法では、複数の一階用パネル１，１…の製造を開始してから二階部分６２の建築を完了するまでの時間を、さらに短縮することができる。これにより、住宅６をさらに短期間で建築することが可能となる。
【００８７】
本実施形態の建築構法では、第６の特徴として、二階床用の製造工程Ｓ２１１と、二階床用の搬送工程Ｓ２２１と、二階床用の設置工程Ｓ２３１と、二階床用の養生工程Ｓ２４１と、をさらに備える。二階床用の製造工程Ｓ２１１では、鉄筋コンクリート構造の複数の二階床用パネル２１，２１…を、製造現場８で順次製造する。二階床用の搬送工程Ｓ２２１では、二階床用の製造工程Ｓ２１１で製造した複数の二階床用パネル２１，２１…を、所定の初期強度を発現した段階で、製造現場か８ら建築現場９にまで順次搬送する。二階床用の設置工程Ｓ２３１では、建築現場９に搬送された複数の二階床用パネル２１，２１…を、前記所定の目的強度を発現した複数の一階用パネル１，１…の上に順次設置し、一階部分６１の上に、住宅６の二階部分６２の床構造６２１を形成する。二階床用の養生工程Ｓ２４１では、二階床用の設置工程Ｓ２３１で設置した複数の二階床用パネル２１，２１…を、それぞれが前記所定の初期強度よりも高い所定の目的強度を発現するまで、一階部分６１の上で養生させる。
【００８８】
そのため、本実施形態の建築構法では、鉄筋コンクリート構造の複数の二階床用パネル２１，２１…の製造を開始してから二階部分６２の床構造６２１の建築を完了するまでの時間を、短縮することができる。これにより、住宅６をさらに短期間で建築することが可能となる。
【００８９】
本実施形態の建築構法では、第７の特徴として、二階床用の設置工程Ｓ２３１は、一階部分６１を構成する複数の一階用パネル１，１…のうち、前記所定の目的強度を発現した一階用パネル１，１…の上から順に、複数の二階床用パネル２１，２１…を順次設置していく工程である。
【００９０】
そのため、本実施形態の建築構法では、複数の一階用パネル１，１…の全てが前記所定の目的強度を発現するまで待つ必要なく、二階部分６２の床構造６２１の建築を始めることができる。
【００９１】
本実施形態の建築構法では、第８の特徴として、養生工程Ｓ１４の期間の一部と、二階床用の設置工程Ｓ２３１の期間の一部が、互いに重なるように設けている。
【００９２】
そのため、本実施形態の建築構法では、複数の一階用パネル１，１…の製造を開始してから二階部分６２の床構造６２１の建築を完了するまでの時間を、さらに短縮することができる。これにより、住宅６をさらに短期間で建築することが可能となる。
【００９３】
本実施形態の建築構法では、第９の特徴として、二階壁用の製造工程Ｓ２１２と、二階壁用の搬送工程Ｓ２２２と、二階壁用の設置工程Ｓ２３２と、二階壁用の養生工程Ｓ２４２と、をさらに備える。二階壁用の製造工程Ｓ２１２では、鉄筋コンクリート構造の複数の二階壁用パネル２２，２２…を、製造現場８で順次製造する。二階壁用の搬送工程Ｓ２２２では、二階壁用の製造工程Ｓ２１２で製造した複数の二階壁用パネル２２，２２…を、所定の初期強度を発現した段階で、製造現場８から建築現場９にまで順次搬送する。二階壁用の設置工程Ｓ２３２では、建築現場９に搬送された複数の二階壁用パネル２２，２２…を、前記所定の目的強度を発現した複数の二階床用パネル２１，２１…の上に順次設置し、床構造６２１の上に、二階部分６２の壁構造６２２を形成する。二階壁用の養生工程Ｓ２４２では、二階壁用の設置工程Ｓ２３２で設置した複数の二階壁用パネル２２，２２…を、それぞれが前記所定の初期強度よりも高い所定の目的強度を発現するまで、床構造６２１の上で養生させる。
【００９４】
そのため、本実施形態の建築構法では、鉄筋コンクリート構造の複数の二階壁用パネル２２，２２…の製造を開始してから二階部分６２の壁構造６２２の建築を完了するまでの時間を、短縮することができる。これにより、住宅６をさらに短期間で建築することが可能となる。
【００９５】
本実施形態の建築構法では、第１０の特徴として、二階壁用の設置工程Ｓ２３２は、床構造６２１を構成する複数の二階床用パネル２１，２１…のうち、前記所定の目的強度を発現した二階床用パネル２１，２１…の上から順に、複数の二階壁用パネル２２，２２…を順次設置していく工程である。
【００９６】
そのため、本実施形態の建築構法では、複数の二階床用パネル２１，２１…の全てが前記所定の目的強度を発現するまで待つ必要なく、二階部分６２の壁構造６２２の建築を始めることができる。
【００９７】
本実施形態の建築構法では、第１１の特徴として、二階床用の養生工程Ｓ２４１の期間の一部と、二階壁用の設置工程Ｓ２３２の期間の一部を、互いに重なるように設けている。
【００９８】
そのため、本実施形態の建築構法では、複数の一階用パネル１，１…の製造を開始してから二階部分６２の壁構造６２２の建築を完了するまでの時間を、さらに短縮することができる。これにより、住宅６をさらに短期間で建築することが可能となる。
【００９９】
本実施形態の建築構法では、第１２の特徴として、住宅６は、連棟式住宅である。
【０１００】
そのため、本実施形態の建築構法では、建築しようとする住宅６が、１０棟程度が連続するような連棟式住宅であっても、非常に短期間（例えば３ヶ月）で建築を完了することが可能となる。
【０１０１】
以上、実施形態について説明したが、本発明は前記した実施形態に限定されない。本発明の意図する範囲内であれば、適宜の設計変更を行うことが可能である。
【符号の説明】
【０１０２】
１  一階用パネル
１１  一階壁用パネル
２  二階用パネル
２１  二階床用パネル
２２  二階壁用パネル
５  基礎
６  住宅
６１  一階部分
６１１  壁構造
６２  二階部分
６２１  床構造
６２２  壁構造
８    製造現場
９    建築現場
Ｓ１１  製造工程
Ｓ１２  搬送工程
Ｓ１３  設置工程
Ｓ１４  養生工程
Ｓ２１  二階用の製造工程
Ｓ２１１  二階床用の製造工程
Ｓ２１２  二階壁用の製造工程
Ｓ２２  二階用の搬送工程
Ｓ２２１  二階床用の搬送工程
Ｓ２２２  二階壁用の搬送工程
Ｓ２３  二階用の設置工程
Ｓ２３１  二階床用の設置工程
Ｓ２３２  二階壁用の設置工程
Ｓ２４  二階用の養生工程
Ｓ２４１  二階床用の養生工程
Ｓ２４２  二階壁用の養生工程
【図１】
0006417230.tif 000002
【図２】
0006417230.tif 000003
【図３】
0006417230.tif 000004
【図４】
0006417230.tif 000005
【図５】
0006417230.tif 000006
【図６】
0006417230.tif 000007
【図７】
0006417230.tif 000008
【図８】
0006417230.tif 000009